(57)【特許請求の範囲】
【請求項１】
プラテンに当接離間自在かつ単票紙を給紙する紙押えローラおよび単票紙案内面に臨む紙押え補助ローラを有するプリンタにおいて、
連続用紙を搬送するトラクタユニットをプリンタ本体に着脱自在とするとともに、
前記トラクタユニットに、
前記プリンタ本体側のトラクタ伝達歯車に結合自在に構成されたレリース歯車と、前記紙押えローラおよび前記紙押え補助ローラを軸支するレバーの端部に係合自在に構成されたレリースカムと、前記レリース歯車および前記レリースカムを操作するためのレリースレバーとを有するレリース機構を配設し、
前記レリース機構は、
前記レリースレバーが操作された場合に、前記レリースカムを前記レバーの端部に係合させ前記紙押え補助ローラを前記単票紙案内面側に引き寄せ、前記プラテンから前記紙押えローラを離間させると共に、前記レリース歯車を前記トラクタ伝達歯車に結合させて前記トラクタユニットに駆動力を伝達し、
単票紙の給紙のために前記レリースレバーが操作された場合には、前記レリースカムと前記レバーとの係合を解除し前記紙押え補助ローラを前記単票紙案内面から引き離し、前記プラテンに前記紙押えローラを当接させると共に、前記レリース歯車を前記トラクタ伝達歯車から離して前記トラクタユニットへの駆動力を断つことを特徴とするプリンタ。
【発明の詳細な説明】
【０００１】
【産業上の利用分野】
本発明は、プリンターに関する。特に、トラクタユニットが本体に脱着するプリンタの場合のレリース機構の改良に関するものである。
【０００２】
【従来の技術】
従来のトラクターレリース機構の一例を図７、図８に示す。
【０００３】
図７は、単票用紙１２をプラテン１に押圧しフィードローラ６a,６bが給紙するフリクション状態を示す。図７において、フィードローラホルダ６にフィードローラ６a,フィードローラ６bは枢支され、本体のフレーム１１に軸支されたレリース軸８には回動自在に紙押えレバー７が取り付けられ、フレーム１１に配設されたコイルバネ９の付勢力が、紙押えレバー７と、フィードローラホルダ６を図中上方向に押し上げて、プラテン１にフィードローラ６a,６bが当接し押圧力が生じるようになっている。
【０００４】
図８は、フィードローラ６a,６bがプラテン１から離間し、連続用紙１３を本体から脱着可能なトラクタ４から給紙するレリース状態を示す。
【０００５】
図示しないレリースレバーは、本体のフレーム１１に取り付けられており、レリース位置に回すと、該レリースレバーの動きに連動し、レリース軸８と、紙押えレバー７が図中反時計方向矢印Ａに回転し、コイルバネ９を図中下方に押し下げ、フィードローラホルダ６は紙押えレバー７と当接する位置まで下方に移動し、前記フィードローラホルダ６に枢支されたフィードローラ６a,６bはプラテン１から離間し、レリース状態となる。
【０００６】
このようなトラクタレリース機構は、プリンタ本体のフレーム１１に、紙押えレバー７、レリース軸８、及び図示しない前記レリースレバーが取り付けられている。
【０００７】
【発明が解決しようとする課題】
上述した従来のトラクターレリース機構には次のような問題があった。
【０００８】
すなわち、本体と別体の脱着可能なトラクタ４がオプション部品で、プリンタ本体のみで単票用紙１２のみに記録書き込みを行う場合、本体のフレーム１１に取り付けられた、紙押えレバー７、レリース軸８、及び図示しない前記レリースレバー等のレリース機構部は、レリースの機能を果たさない不要な機構部となり、しかもプリンタ本体の部品点数が多くなり、プリンタ本体が高価なものとなる問題が生じていた。
【０００９】
本発明は以上のような問題点を解決するもので、その目的は、プリンタ本体の部品点数を少なくし、軽量で安価なプリンタ本体を提供することにある。
【００１０】
【課題を解決するための手段】
本発明によるプリンタは、プラテンに当接離間自在かつ単票紙を給紙する紙押えローラおよび単票紙案内面に臨む紙押え補助ローラを有するプリンタにおいて、連続用紙を搬送するトラクタユニットをプリンタ本体に着脱自在とするとともに、前記トラクタユニットに、前記プリンタ本体側のトラクタ伝達歯車に結合自在に構成されたレリース歯車と、前記紙押えローラおよび前記紙押え補助ローラを軸支するレバーの端部に係合自在に構成されたレリースカムと、前記レリース歯車および前記レリースカムを操作するためのレリースレバーとを有するレリース機構を配設し、前記レリース機構は、前記レリースレバーが操作された場合に、前記レリースカムを前記レバーの端部に係合させ前記紙押え補助ローラを前記単票紙案内面側に引き寄せ、前記プラテンから前記紙押えローラを離間させると共に、前記レリース歯車を前記トラクタ伝達歯車に結合させて前記トラクタユニットに駆動力を伝達し、単票紙の給紙のために前記レリースレバーが操作された場合には、前記レリースカムと前記レバーとの係合を解除し前記紙押え補助ローラを前記単票紙案内面から引き離し、前記プラテンに前記紙押えローラを当接させると共に、前記レリース歯車を前記トラクタ伝達歯車から離して前記トラクタユニットへの駆動力を断つことを特徴とする。
【００１１】
【作用】
本発明のプリンタは上記の構成としたので、次のように作用する。
【００１２】
連続用紙に記録書き込みを行う場合、オプションのトラクタユニットを本体に取り付け、前記トラクタユニットに設けられたレリース機構によって、プリンタ本体のプラテンからフィードローラを離間させ、確実に前記連続用紙を給紙し、記録書き込みを行う。
【００１３】
特に、トラクタユニットがプリンタ本体と別体の脱着可能なオプション部品であるので、プリンタ本体の部品点数が少なく、軽量で安価なプリンタ本体が形成できるという効果がある。
【００１４】
【実施例】
以下、本発明の１実施例について図面を参照して説明する。
図１は、プリンタ本体の給紙部の構成を示している。紙案内部材２０９は、プリンタ本体への装着部が図２のトラクタユニット９１と同じ形状をなしていて、その内面上方は給紙カセット１７からの単票紙をプラテン３１に導く単票紙案内面２１０をなし、また内面下方は、ケースの下面に設けた手差し挿入孔２０２からプラテン３１へ厚紙類を案内する厚紙案内面２１１をなしている。
【００１５】
図２は、プリンタ本体にオプションのトラクタユニット９１を取り付けた時の給排紙部の構成を示している。排紙スリット２０４下方の排紙ローラユニット６９は、排紙伝達ローラ７２と、排紙ローラ７３と、これらを枢支するローラホルダ７０とによって構成され、これらによって用紙を排紙スリット２０４から排紙する。３はプラテン１に沿ってキャリッジガイド軸３３上を主走査方向に往復運動するキャリッジを示し、２はキャリッジ３上に搭載された印字ヘッドを示している。２０１はケースを示し、１７は給紙カセットを示し、５４は給紙カセット１７上の単票紙を給紙する給紙ローラを示し、前記給紙ローラ５４は図５中の駆動モータ４０を含む駆動ユニット３９によって回動される。
【００１６】
図５は、プリンタ本体にオプションのトラクタユニット９１を取り付けた時の駆動ユニット３９の側面図を示している。
この駆動ユニット３９は、駆動モータ４０のピニオン４１と噛み合う減速歯車４２と、減速歯車４２と一体のピニオン４３に噛み合うプラテン歯車４５及び給紙ローラ伝達歯車４７と給紙ローラ伝達歯車４７に噛み合う給紙ローラ駆動歯車５１と、プラテン歯車４５に噛み合うトラクタ伝達歯車４９とからなり、さらにプラテン歯車４５は、これと一体をなすプラテン３１を駆動するとともに、伝達歯車４９を介してプリンタに装着されたトラクタユニット９１のトラクタ４を駆動する。
【００１７】
図４は、プリンタ本体にオプションのトラクタユニット９１を取り付けた時のレリース機構部を示した断面図である。
本体に取り付けられた基板２１３の後端部に配設された紙押えローラユニット５９は、基板２１３の後端部にスナップフィットされたローラホルダ６０と、ローラホルダ６０上のピン６１を介してＴ字状に組付けられた横レバー６２及び縦レバー６３とによって構成されている。
【００１８】
上記の横レバー６２の上端にはプラテン３１面に圧接して転動する紙押えローラ６５が、下端には紙案内面９３に臨む紙押え補助ローラ６６がそれぞれ軸支されていて、これらのローラ６５、６６は、縦レバー６３を介してローラホルダ６０内に介装したコイルバネ６４に付勢された状態で図２中の給紙カセット１７からの単票紙をプラテン３１上に導くように配置されている。
【００１９】
９２は、このトラクタユニット９１のフレームで、このフレーム９２の前面、つまり紙押えローラユニット５９側に面した側は、図１の紙案内部材２０９と同一形状をなし、単票紙の紙案内面９３をなしている。
【００２０】
このフレーム９２には、プリンタ本体側のトラクタ伝達歯車４９とフレーム９２上のトラクタ歯車９５とを結合するレリース歯車９６が軸方向に摺動自在に取り付けられており、またフレーム９２前端下方枢着部９７には、レリースレバー９８が回動自在に枢支され、さらにレリース歯車９６に面したこのレリースレバー９８には、レリーズ歯車９６を軸方向に変位させるカム面９９が設けられていて、このレリースレバー９８を図５の時計方向、つまり図の実線位置に回動することにより、レリーズ歯車９６とトラクタ歯車９５とを噛み合わせ、また反時計方向、つまり図５の破線位置に回動することにより、両歯車９５、９６の噛み合いを解くように構成されている。
【００２１】
このフレーム９２に挿通したレリース軸１０３には、図４に示すように、紙押え補助ローラ軸６６aと係脱するレリースカム１０１が回動自在に取り付けられ、さらにこのレリース軸１０３上のピニオン１０２は、レリースレバー９８と一体的に回動するセクター１００と噛み合っていて、レリースレバー９８を図５中の時計方向つまり実線位置に回動させた場合、つまりトラクタ歯車９５に駆動力を伝達させるように回動させた場合には、セクター１００を介してレリースカム１０１を図５中の反時計方向つまり図中実線まで回動して、これを単票紙の紙搬送経路内に突出させるとともに、その先端を紙押え補助ローラ軸６６aに係合させ、これを単票紙案内面９３側に引き寄せて、紙押えローラ６５をプラテン３１から離間させる。
【００２２】
またレリースレバー９８を反時計方向に回動させた場合には、レリースカム１０１をフレーム９２の前面の紙案内面９３から引き込ませるように、つまり図４の破線の位置まで回動させて、単票紙の搬送を可能にするように構成されている。
【００２３】
なお、図３において符号４はプッシュトラクタを、１０６はこのトラクタ４の駆動軸を、１１０は連続用紙のガイドをするトラクタサポータを、１１１はトラクタ１０５とトラクタサポータ１１０のガイドをするトラクタガイド軸を示している。
【００２４】
図６は紙検出ユニット７７を示したもので、この紙検出ユニット７７は、給紙カセット１７からプラテン３１に至る紙搬送経路に臨むよう基板１３上に取り付けられていて、紙搬送経路内に突出した紙検レバー７９が単票紙に押されて変位することによりこれを検出するとともに、トラクタユニット９１を装着した場合には、トラクタユニット９１側の紙検補助レバー１０４を外側から押圧し、これを連続紙の搬送経路内に突出させ、紙に触れてこのレバー１０４が変位するのを検出するように構成されている。
【００２５】
つぎにオプショントラクタユニット９１が取り付けられ、連続用紙等へ記録書き込みを行う場合について説明する。
フレーム９２の単票紙案内面９３近傍に枢支した紙検補助レバー１０４は、図６に見られるように、紙検レバー７９に当接して連続用紙の搬送経路内に位置し、またこの状態でレリースレバー９８を図５中実線位置へ回動して、プリンタ本体側のトラクタ伝達歯車４９と噛み合うレリース歯車９６をレリースレバー９８上のカム面９９により軸方向に変位させて、これをトラクタ歯車９５に噛み合わせると、図４のセクター１００を介してレリースレバー９８の動きに連動するレリースカム１０１も、紙押え補助ローラ軸６６aに係合してこれを単票紙案内面９３側に引き寄せて、紙押えローラ６５をプラテン３１から離間させる。
【００２６】
このため、トラクタ４から送り出された連続紙は、はじめに図６の紙検補助レバー１０４を紙搬送経路から排除するように回動させ、紙検出ユニット７７による紙の検出を行わせるとともに、自らは紙押えローラ６５による抵抗を受けることなくプラテン３１面に達し、プラテン３１による紙搬送作用を受けながら所要の記録書き込み処理がなされる。
【００２７】
また、このトラクタユニット９１を装着した状態で単票紙への記録書き込みを行う場合には、レリースレバー９１を反時計方向つまり図５の破線位置へ回動し、レリース歯車９６によるトラクタ歯車９５への駆動力伝達を断つとともに、図４のレリースカム１０１と紙押え補助ローラ軸６６aとの係合を解いて、紙押えローラ６５をプラテン３１面に圧接させ、通常の単票紙印刷モードに戻した上で、給紙カセット１７と手差し挿入孔２から単票紙を給紙し、単票紙への記録書き込み操作を行えばよい。
【００２８】
【発明の効果】
以上述べたように本発明によれば、連続用紙を搬送するトラクタユニットをプリンタに着脱自在とするとともに、フィードローラをプラテンに当接離間させるレリース機構をトラクタユニットに配設したので、プリンタ本体の部品点数少なく軽量で安価に提供できる。
【００２９】
また、オプショントラクタを本体に取り付けた状態でも、単票紙の記録書き込みを行うことができるため、オプショントラクタの取り外しといった面倒な操作が不要で、単表紙、連続紙の両方が簡単な操作で記録書き込みを行うことができる。
【図面の簡単な説明】
【図１】本発明の１実施例を示すプリンタの紙押えローラ６５がフリクション状態を示す断面図である。
【図２】本発明の１実施例を示すプリンタのオプショントラクタが取り付けられ紙押えローラ６５がたレリース状態を示す断面図である。
【図３】本発明の１実施例を示す本体と脱着可能でレリース機構を設けたオプショントラクタの斜視図である。
【図４】本発明の１実施例を示す本体と脱着可能でレリース機構を設けたオプショントラクタの動作断面図である。
【図５】本発明の１実施例を示す本体と脱着可能でレリース機構を設けたオプショントラクタと本体の紙送り系の駆動ユニットを示した側面図である。
【図６】紙検出ユニットとトラクタユニットとの関係を示した図である。
【図７】従来のプリンタのレリース機構のフリクション状態の断面図である。
【図８】従来のプリンタのレリース機構のレリース状態の断面図である。
【符号の説明】
１      プラテン
２      ヘッド
３      キャリッジ
４      トラクタ
５      補助板
６      フィードローラホルダ
６a     フィードローラ
６b     フィードローラ
７      紙押えレバー
８      レリース軸
９      コイルバネ
１０    紙案内
１１    本体のフレーム
１２    単票用紙
１３    連続用紙
１７    給紙カセット
３３    キャリッジガイド軸
３９    駆動ユニット
４０    駆動モータ
４１    ピニオン
４２    減速歯車
４３    ピニオン
４５    プラテン歯車
４７    給紙ローラ伝達歯車
４９    トラクタ伝達歯車
５１    給紙ローラ駆動歯車
５４    給紙ローラ
５９    紙押えローラユニット
６０    ローラホルダ
６５    紙押えローラ
６６    紙押え補助ローラ
６６a   紙押え補助ローラ軸
６９    排紙ローラユニット
７０    排紙ローラホルダ
７２    排紙伝達ローラ
７３    排紙ローラ
７７    紙検出ユニット
７９    紙検レバー
８８    レリースレバー
９１    トラクタユニット
９２    トラクタフレーム
９３    単票紙の紙案内面
９５    トラクタ歯車
９６    レリース歯車
９７    枢着部
９８    レリースレバー
９９    カム面
１００  セクター
１０１  レリースカム
１０２  ピニオン
１０３  レリース軸
１０４  紙検補助レバー
１０６  トラクタ駆動軸
１１０  トラクタサポート
１１１  トラクタガイド軸
２０１  ケース
２０２  手差し挿入孔
２０４  排紙スリット
２０９  紙案内部材
２１０  単票紙案内面
２１１  厚紙案内面
２１３  基板
【図１】
0003802573.tif 000002
【図２】
0003802573.tif 000003
【図３】
0003802573.tif 000004
【図４】
0003802573.tif 000005
【図５】
0003802573.tif 000006
【図６】
0003802573.tif 000007
【図７】
0003802573.tif 000008
【図８】
0003802573.tif 000009